(57)【要約】【課題】間柱固定部２から水平方向に片持ち状態で突き出したアーム部３の配線用ボックス２０の取付け位置に拘わらず、配線用ボックス２０の取付け状態を安定化させる。【解決手段】間柱に固定される間柱固定部２と、この間柱固定部２から水平方向に突き出したアーム部３とからなり、アーム部３に水平方向にスライド孔３ａを設けた配線用ボックス間柱固定金具において、アーム部３の先端に、背面側に折り曲げるスペーサ部４を設け、スペーサ部４の先端が背面の建物の壁面に当たるようにして、アーム部３の撓みを防止するようにした。【選択図】　図１
2004135395.tif 000002
【特許請求の範囲】
【請求項１】
間柱に固定される間柱固定部と、この間柱固定部から水平方向に突き出したアーム部とからなり、アーム部に水平方向にスライド孔を設けた配線用ボックス間柱固定金具において、上記アーム部の先端に、背面側に折り曲げるスペーサ部を設けたことを特徴とする配線用ボックス間柱固定金具。
【請求項２】
上記スペーサ部の折り曲げ位置を、アーム部の先端側から所定間隔ごとに複数設けたことを特徴とする請求項１記載の配線用ボックス間柱固定金具。
【請求項３】
スペーサ部の折り曲げ位置に、Ｖ字状の切欠きを形成した請求項１又は２記載の配線用ボックス間柱固定金具。
【請求項４】
スペーサ部の折り曲げ位置に沿って、複数の小孔又は罫線を入れた請求項３記載の配線用ボックス間柱固定金具。
【発明の詳細な説明】
【０００１】
【発明の属する技術分野】
この発明は、アウトレットボックス等の配線用ボックスを、間柱に取付けるために使用する配線用ボックス間柱固定金具に関するものである。
【０００２】
【従来の技術】
従来、アウトレットボックス等の配線用ボックス間柱固定金具は、間柱に固定される間柱固定部と、この間柱固定部から水平方向に突き出したアーム部とからなり、アーム部に水平方向にスライド孔を設け、配線用ボックスの底壁に設けたボルト挿通孔とアーム部のスライド孔とにボルトを挿し入れてナットを締め付けることにより、配線用ボックスをアーム部に固定するようにしている（特許文献１）。
【０００３】
【特許文献１】
実公平５−２６１６５号公報
【０００４】
上記配線用ボックス間柱固定金具は、アーム部に水平方向にスライド孔を設けているため、配線用ボックスをアーム部に固定するボルトとナットを緩めることにより、配線用ボックスをアーム部のスライド孔に沿って間柱の幅方向に移動させて、取付け位置の調整が可能である。
【０００５】
【発明が解決しようとする課題】
ところで、配線用ボックス間柱固定金具のアーム部は、間柱に固定される間柱固定部に、いわゆる片持ち状態で取付けられているため、特に、間柱固定部から離れたアーム部の先端寄りに配線用ボックスを取付けた場合、アーム部が撓みやすく、配線用ボックスの取付け状態が不安定になるという問題がある。
【０００６】
そこで、この発明は、間柱固定部から水平方向に片持ち状態で突き出したアーム部の配線用ボックスの取付け位置に拘わらず、配線用ボックスの取付け状態を安定化させようとするものである。
【０００７】
【課題を解決するための手段】
上記の課題を解決するために、この発明は、間柱に固定される間柱固定部と、この間柱固定部から水平方向に突き出したアーム部とからなり、アーム部に水平方向にスライド孔を設けた配線用ボックス間柱固定金具において、アーム部の先端に、背面側に折り曲げるスペーサ部を設けたものである。
【０００８】
アーム部の先端のスペーサ部を背面側に折り曲げ、スペーサ部の先端が背面の建物の壁面に当たるようにすることにより、アーム部の先端を背面側に押しても、スペーサ部が力を受けて、アーム部の撓みを防止できるので、配線用ボックスの取付け状態が安定化する。
【０００９】
また、アーム部と背面の壁面との間隔は、配線用ボックスの設置場所により異なるが、アーム部の先端のスペーサ部の折り曲げ角度を変えることにより、種々の間隔に対応可能となる。
【００１０】
さらに、上記スペーサ部の折り曲げ位置を、アーム部の先端側から所定間隔ごとに複数設けることにより、背面の壁面との間隔調整の範囲がより広がる。
【００１１】
上記アーム部に形成する折り曲げ位置に、折り曲げ位置の上下両側縁にＶ字状の切欠きを設けたり、折り曲げ位置に沿って小孔が並ぶように設けたり、折り曲げ位置に沿って罫線を入れたりすることにより、アーム部の折り曲げを容易に行うことができる。
【００１２】
【発明の実施の形態】
以下、この発明に係る配線用ボックス間柱固定金具１の実施形態について説明する。
【００１３】
配線用ボックス２０は、合成樹脂又は鋼によって形成され、四角形の底壁２１と、四つの側壁２２からなる。側壁２２には、電線挿通用のノックアウト孔２３が、各側壁２２に２つずつ形成されている。また、配線用ボックス２０の底壁２１には、直交する線上に、２対、即ちそれぞれ２つずつ取付け孔２４が計４つ形成されている。
【００１４】
この発明に係る配線用ボックス間柱固定金具１は、間柱１０に固定される間柱固定部２と、この間柱固定部２から水平方向に突き出したアーム部３とからなる。
【００１５】
間柱固定部２は、間柱１０の種類に応じて適宜の構造を選択することができ、例えば、図１及び図２に示す実施形態では、間柱固定部２として、軽量間柱１０の開口面の外側部１０ａを連結板２ａと挟持板２ｂとによって挟み、連結板２ａと挟持板２ｂとをボルト２ｃにより固定するものを使用している。また、軽量間柱１０の背面に取付けるような場合には、連結板２ａとボルト２ｃを使用しないで、連結板２ａを取り外して、間柱固定部２を軽量間柱１０の背面所定位置に当て、挟持板２ｂに設けられたネジ孔２ｄにタッピングネジをねじ込み固定することも可能である。
【００１６】
アーム部３は、上記間柱固定部２の挟持板２ｂに対して直角に屈曲するように一体に形成され、水平方向にスライド孔３ａが形成されている。
【００１７】
配線用ボックス２０は、スライド孔３ａに配線用ボックス２０の底壁２１に形成された水平位置にある一対の取付け孔２４とを合わせて、ボルト２５をスライド孔３ａに通して固定することにより、左右方向に位置調整可能に取付けることができる。
【００１８】
この発明に係る配線用ボックス間柱固定金具１は、上記アーム部３の先端に、取付け状態において、図２に示すように、アーム部３の背面の壁面１１との間隙を埋めるスペーサ部４を設けている。すなわち、アーム部３の先端に、背面側に折り曲げるスペーサ部４を設けたものである。
【００１９】
図２に示すように、アーム部３の先端のスペーサ部４を背面側に折り曲げ、スペーサ部４の先端が背面の建物の壁面に当たるようにすると、アーム部３の先端を背面側に押しても、スペーサ部４が力を受けて、アーム部３の撓みを防止できるので、配線用ボックス２０の取付け状態が安定化する。
【００２０】
また、アーム部３の先端のスペーサ部４の折り曲げ角度は、直角でなくてもよく、アーム部３と背面の壁面１１との間隔に応じて、折り曲げ角度を調整することができる。
【００２１】
上記アーム部３には、背面側への折り曲げが容易に行えるように、図３に示すように、折り曲げ位置の上下両側縁にＶ字状の切欠き５を設けている。さらに図４（ａ）に示すように、折り曲げ位置に沿って罫線６を入れ、あるいは、図４（ｂ）に示すように、折り曲げ位置に沿って小孔７を並べることにより、スペーサ部４をより簡単に形成することができる。
【００２２】
さらに、上記スペーサ部４の折り曲げ位置は、アーム部の先端側から所定間隔ごとに複数本設けられ、壁面１１との距離に応じて曲げ位置を変えることができる。
【００２３】
上記構造の配線用ボックス間柱固定金具１は、次のようにして使用される。
まず、間柱固定部２を配線用ボックスの設置高さに合わせて、ボルト２ｃを回して間柱１０に固定する。この後、配線用ボックス２０をアーム部３にボルト２５で取付け、アーム部３の背面の壁面１１との距離に合わせて、アーム部３の先端を折り曲げてスペーサ部４を形成し、スペーサ部４の先端が壁面１１に当たるようにする。なお、上記スペーサ部４の折り曲げは、配線用ボックス２０を取付ける前に行ってもよい。
【００２４】
【発明の効果】
以上のように、この発明に係る配線用ボックス間柱固定金具によると、アーム部の先端を折り曲げて背面の壁面との間に、スペーサ部を形成することができるので、配線用ボックスをしっかりと安定した状態で取付けることが可能になる。
【図面の簡単な説明】
【図１】この発明に係る配線用ボックス間柱固定金具の使用状態の斜視図である。
【図２】図１の横断面図である。
【図３】この発明に係る配線用ボックス間柱固定金具の一例を示す斜視図である。
【図４】（ａ）、（ｂ）は、この発明に係る配線用ボックス間柱固定金具の先端部分を示す正面図である。
【符号の説明】
１　配線用ボックス間柱固定金具
２　間柱固定部
２ａ　連結板
２ｂ　挟持板
２ｃ　ボルト
２ｄ　ネジ孔
３　アーム部
３ａ　スライド孔
４　スペーサ部
５　切欠き
６　罫線
７　小孔
１０　間柱
１０ａ　外側部
１１　壁面
２０　配線用ボックス
２１　底壁
２２　側壁
２３　ノックアウト孔
２４　取付け孔
【図１】
2004135395.tif 000003
【図２】
2004135395.tif 000004
【図３】
2004135395.tif 000005
【図４】
2004135395.tif 000006
【手続補正書】
【提出日】平成14年10月10日(2002.10.10)
【手続補正１】
【補正対象書類名】図面
【補正対象項目名】図１
【補正方法】変更
【補正の内容】
【図１】
2004135395.tif 000007